(57)【要約】【課題】  ドーム屋根の下に吊天井が吊り下げられた形式の地下式低温貯槽の解体を、大掛りな仮支持材等を使用することなく可能にする方法を提供する。【解決手段】  貯槽１内に水を導入し、吊天井６の下面の近くまで水を充填する。水面上に浮き９を敷設した後、更に水を注入して貯槽１内の水位を上昇させ、浮き９の浮力で吊天井６の荷重を支える。この状態で、吊天井６の上面側を足場にして、吊材７を切断して吊天６をドーム屋根５から切離す。次に、ドーム屋根５を、中心部から径を段階的に増やしながら、順に同心円状に切離して行くことによって、ドーム屋根５をそれ自体の剛性で自立させた状態のまま解体する。次いで、ドーム屋根から切離された吊天井６を、足場として使用して、貯槽１内の水位を徐々に下降させながら、貯槽１の側壁面３に取り付けられている内装部材４を取り外して撤去する。【選択図】  図２
2005307552.tif 000002
【特許請求の範囲】
【請求項１】
ドーム屋根の下に吊天井が吊り下げられた形式の地下式低温貯槽の解体方法であって、
貯槽内に水を注入して、その水面の上に浮きを設置し、
次いで、貯槽内の水位を上昇させて、浮きの浮力で吊天井の荷重を支持し、
その状態で、吊天井の上面側を足場にして、吊天井をドーム屋根から切離すこと、
を特徴とする地下式低温貯槽の解体方法。
【請求項２】
前記吊天井を前記ドーム屋根から切離した後、前記ドーム屋根の頂点部分をクレーンで吊り下げた状態で円形にくり抜いて、クレーンで回収し、
次いで、このくり抜かれた円形の外側に位置する、より大きな径の同心円を外周とするリング状の部分を、クレーンで吊り下げた状態で一部づつ扇形に切断してクレーンで回収し、これを繰り返すことによって当該リング状の部分を全て切断して撤去し、
この作業を、同心円の径を段階的に増やしながら、前記ドーム屋根の外周に到達するまで繰り返し、それによって、前記ドーム屋根をそれ自体の剛性で自立させた状態のまま解体して撤去すること、
を特徴とする請求項１に記載の地下式低温貯槽の解体方法。
【請求項３】
前記ドーム屋根を撤去した後、貯槽内の水位を徐々に下降させながら、前記吊天井の上面側を足場にして、貯槽の側壁面に取り付けられている内装部材を取り外して撤去することを特徴とする請求項２に記載の地下式低温貯槽の解体方法。
【発明の詳細な説明】
【技術分野】
【０００１】
本発明は、ＬＮＧやＬＰＧなどの低温液化ガスを貯蔵するための地下式低温貯槽の解体方法に係り、特に、ドーム屋根の下に吊天井が吊り下げられた形式の地下式低温貯槽の解体方法に係る。
【背景技術】
【０００２】
図８に、ドーム屋根の下に吊天井が吊り下げられた形式の地下式低温貯槽の概要を示す。この貯槽１の内面（底面２及び側壁面３）には、断熱材４ａ及びメンブレン４ｂなどの内装部材４が取り付けられている。貯槽１の上部は、鋼製のドーム屋根５で覆われ、ドーム屋根の下には更に、吊天井６が吊材７を介して吊り下げられている。
【０００３】
このような、地下式低温貯槽については、それを解体した実績がほとんどない。仮に、建設時と逆の手順で解体することを想定すると、大掛りな仮支持材や足場、降下装置などが必要となり、工期及び工事費用が大きな問題となる。
【特許文献１】特開平０９−２０９５８３号公報
【特許文献２】特開平０９−２０９５８４号公報
【発明の開示】
【発明が解決しようとする課題】
【０００４】
本発明は、以上のような地下式低温貯槽の解体方法についての問題点に鑑み成されたもので、本発明の目的は、ドーム屋根の下に吊天井が吊り下げられた形式の地下式低温貯槽の解体工事を、大掛りな仮支持材等を使用することなく可能にする方法を提供することにある。
【課題を解決するための手段】
【０００５】
本発明の地下式低温貯槽の解体方法は、
ドーム屋根の下に吊天井が吊り下げられた形式の地下式低温貯槽の解体方法であって、
貯槽内に水を注入して、その水面の上に浮きを設置し、
次いで、貯槽内の水位を上昇させて、浮きの浮力で吊天井の荷重を支持し、
その状態で、吊天井の上面側を足場にして、吊天井をドーム屋根から切離すこと、
を特徴とする。
【０００６】
上記のようにして、吊天井をドーム屋根から切離せば、ドーム屋根の解体は、ドーム屋根をそれ自体の剛性で自立させた状態のまま、仮支持材等を使用することなく行うことができる。
【０００７】
即ち、吊天井をドーム屋根から切離した後、ドーム屋根の頂点部分をクレーンで吊り下げた状態で円形にくり抜いて、クレーンで回収する。次いで、このくり抜かれた円形の外側に位置する、より大きな径の同心円を外周とするリング状の部分を、クレーンで吊り下げた状態で一部づつ扇形に切断してクレーンで回収し、これを繰り返すことによって当該リング状の部分を全て切断して撤去する。この作業を、同心円の径を段階的に増やしながら、ドーム屋根の外周に到達するまで繰り返し、それによって、ドーム屋根をそれ自体の剛性で自立させた状態のまま解体して撤去する。
【０００８】
ドーム屋根から切離された吊天井は、更に、貯槽から内装部材（断熱材及びメンブレンなど）を取り外す際の足場として使用することができる。即ち、ドーム屋根を撤去した後、貯槽内の水位を徐々に下降させながら、吊天井の上面側を足場にして、貯槽の側壁面に取り付けられている内装部材を取り外して撤去する。
【０００９】
なお、このようにして、側壁面の内装部材を撤去した後、貯槽の底面の内装部材の上で吊天井を解体して撤去する。次いで、浮きを回収した後、貯槽の底面に取り付けられている内装部材を解体して撤去する。
【発明の効果】
【００１０】
本発明の解体方法によれば、ドーム屋根の下に吊天井が吊り下げられた形式の地下式低温貯槽の解体を、大掛りな仮支持材等を使用することなく行うことが可能になり、工期を短縮すると同時に工事費用を大幅に削減することができる。
【発明を実施するための最良の形態】
【００１１】
本発明に基づく解体方法の一例について、図面を用いて説明する。なお、図中、１は地下式低温貯層、２は底面、３は側壁面、４は内装部材、５はドーム屋根、６は吊天井、７は吊材、９は浮きを表わす。
【００１２】
図１に示すように、先ず、貯槽１内を空にした後、貯槽１内に水を注入し、吊天井６の下面の近くまで水位を上昇させる。次いで、ドーム屋根５及び吊天井６にそれぞれ設けられた開口部５ａ、６ａから、クレーン４１を用いて水面上にゴムボート８及び浮き９を搬入し、水面上に浮き９を敷設する。なお、これらの浮き９の配置は、吊天井６の骨組みの配置等に応じて決定される。
【００１３】
次に、図２に示すように、貯槽１内に更に水を注入して、貯槽１内の水位を上昇させて、浮き９の浮力で吊天井６の荷重を支える。この状態で、吊天井６の上面側を足場にして、ドーム屋根５から吊天井６を吊り下げている吊材７を切断し、吊天井６をドーム屋根５から切離す。
【００１４】
次に、図３及び４に示すように、ドーム屋根５の頂点部分１０を、地上のクレーン４２で吊り下げた状態で円形にくり抜き、クレーン４２で回収する。
【００１５】
次に、図３及び５に示すように、このくり抜かれた円形（頂点部分１０）の外側に位置する、より大きな径の同心円を外周とするリング状の部分２０を、クレーン４２で吊り下げた状態で一部づつ扇形の断片２１に切断して、クレーン４２で回収する。これを繰り返すことによって当該リング状の部分２０を全て切断して撤去する。
【００１６】
この作業を、同心円の径を段階的に増やしながら、ドーム屋根５の外周に到達するまで繰り返すことによって、ドーム屋根５を解体して撤去する。
【００１７】
なお、このように、中心部から径を段階的に増やしながら、同心円状に順に切離して行くことによって、ドーム屋根５をそれ自体の剛性（具体的には、リングビーム３１及びラフタービーム３２の剛性）で自立させた状態のまま、解体して行くことができる。
【００１８】
次に、図６に示すように、ドーム屋根５から切離された吊天井６を、更に、足場（即ち、昇降式作業床）として使用して、貯槽１内の水位を徐々に下降させながら、貯槽１の側壁面３に取り付けられている内装部材４（断熱材及びメンブレンなど）を取り外して撤去する。なお、貯槽１内の水は、水中ポンプ２３によって汲み出される。また、このとき、既にドーム屋根５が撤去されているので、取り外された内装部材４は、地上のクレーン４１を用いて搬出することができる。
【００１９】
このように、側壁面３の内装部材４を撤去しながら、順次、水位を下降させて行くと、最終的に貯槽１内の水が全て抜き取られ、図７に示すように、吊天井６が、浮き９を間に挟んで、底面２の内装部材４の上に乗った状態になる。この状態で、浮き９の上で吊天井６を解体して撤去する。浮き９を回収した後、貯槽１の底面２に取り付けられている内装部材４を取り外して撤去する。
【図面の簡単な説明】
【００２０】
【図１】本発明に基づく方法の一例を示す図であって、貯槽の中に浮きを設置する工程について説明する図。
【図２】本発明に基づく方法の一例を示す図であって、浮きで吊天井を支持する工程について説明する図。
【図３】本発明に基づく方法の一例を示す図であって、ドーム屋根の解体の順序について説明する図。
【図４】本発明に基づく方法の一例を示す図であって、ドーム屋根の中心部を撤去する工程について説明する図。
【図５】本発明に基づく方法の一例を示す図であって、同心円の径を段階的に増やしながらドーム屋根を解体して撤去する工程について説明する図。
【図６】本発明に基づく方法の一例を示す図であって、側壁面の内装部材を取り外して撤去する工程について説明する図。
【図７】本発明に基づく方法の一例を示す図であって、吊天井を解体して撤去する工程について説明する図。
【図８】地下式低温貯槽の概要を示す縦方向断面図。
【符号の説明】
【００２１】
１・・・貯槽、２・・・底面、３・・・側壁面、４・・・内装材、４ａ・・・断熱材、４ｂ・・・メンブレン、５・・・ドーム屋根、６・・・吊天井、７・・・吊材、８・・・ゴムボート、９・・・浮き、１０・・・頂点部分、２０・・・リング状の部分、２１・・・扇形の断片、３１・・・リングビーム、３２・・・ラフタービーム、４１、４２・・・クレーン。
【図１】
2005307552.tif 000003
【図２】
2005307552.tif 000004
【図３】
2005307552.tif 000005
【図４】
2005307552.tif 000006
【図５】
2005307552.tif 000007
【図６】
2005307552.tif 000008
【図７】
2005307552.tif 000009
【図８】
2005307552.tif 000010